【手続補正書】
【提出日】平成18年1月30日(2006.1.30)
【手続補正１】
【補正対象書類名】特許請求の範囲
【補正対象項目名】全文
【補正方法】変更
【補正の内容】
【特許請求の範囲】
【請求項１】
増幅器の出力段のための熱保護回路であって、該出力段は、グラウンドを基準とする増幅器電力レールからＤＣ電力を受取り、かつ増幅ＡＣ出力信号を発生させる、熱保護回路であって、
グラウンドを基準とする該増幅器電力レールからの該増幅ＡＣ出力信号を基準とする、レギュレートされた電力レールを提供するように動作可能である電力調整器と、
該電力調整器に結合された該増幅ＡＣ出力信号を基準とし、かつ該レギュレートされた電力レールによって電力供給され、該出力段を熱保護する保護回路と
を備える、熱保護回路。
【請求項２】
前記電力調整器は、第１のキャパシタと、抵抗と、入力および出力を有する電圧レギュレータとを備え、該電圧レギュレータの該入力、該第１のキャパシタ、および抵抗は、各々、前記増幅器電力レールと前記ＡＣ出力信号との間に結合され、該電圧レギュレータの該出力は、前記レギュレートされた電力レールと該増幅ＡＣ出力信号との間に結合される、請求項１に記載の熱保護回路。
【請求項３】
前記電力調整器は、前記増幅器電力レールと前記増幅ＡＣ出力信号との間に結合されたツェナーダイオードを備える、請求項２に記載の熱保護回路。
【請求項４】
前記電力調整器は、前記レギュレートされた電力レールと前記増幅ＡＣ出力信号との間に結合された第２のキャパシタをさらに備える、請求項２に記載の熱保護回路。
【請求項５】
前記増幅器電力レールは、正の増幅器電力レールと負の増幅器電力レールとを備え、前記電力調整器は、第１の電力調整器と第２の電力調整器とを備える、請求項１に記載の熱保護回路。
【請求項６】
前記第１の電力調整器は、前記増幅ＡＣ出力信号を基準とするレギュレートされた正の電力レールを生成するように動作可能であり、該レギュレートされた正の電力レールは、グラウンドを基準とする該正の増幅器電力レールから生成される、請求項５に記載の熱保護回路。
【請求項７】
前記第２の電力調整器は、前記増幅ＡＣ出力信号を基準とするレギュレートされた負の電力レールを生成するように動作可能であり、該レギュレートされた負の電力レールは、グラウンドを基準とする該負の増幅器電力レールから生成される、請求項５に記載の熱保護回路。
【請求項８】
前記保護回路は温度シミュレータを含み、前記出力段は出力デバイスを含み、該温度シミュレータは、シミュレートされた温度信号を提供するように動作可能であり、該シミュレートされた温度信号は、該出力デバイスのシミュレートされた温度を示す、請求項１に記載の熱保護回路。
【請求項９】
前記保護回路は出力リミッタをさらに含み、該出力リミッタは、前記出力デバイスの前記シミュレートされた温度が閾値温度を超過した場合、前記シミュレートされた温度信号の関数として、該出力デバイスによって損失される電力を低減するように動作可能である、請求項８に記載の熱保護回路。
【請求項１０】
前記保護回路はバイアス制御をさらに含み、該バイアス制御は、前記シミュレートされた温度信号の関数として、前記出力段のためのバイアス信号を生成するように動作可能であり、該バイアス信号は、静止状態の間、該出力段を通る、実質的に一定の静止電流を維持するために、該出力段のバイアスを動的に調節するように動作可能である、請求項８に記載の熱保護回路。
【請求項１１】
前記保護回路はバイアス制御を含み、該バイアス制御は、前記出力段を通る、実質的に一定の静止電流を維持するために、該出力段のバイアスを調節するように動作可能である、請求項１に記載の熱保護回路。
【請求項１２】
前記バイアス制御は、前記出力段のシミュレートされた温度の関数として、前記バイアスを調節するように動作可能である、請求項１１に記載の熱保護回路。
【請求項１３】
増幅器の出力段のための熱保護回路であって、該出力段は、増幅器ＤＣ電力レールからＤＣ電力を受け取り、かつ増幅ＡＣ出力信号を発生させ、該熱保護回路は、
ＤＣ電力を調製するための手段であって、該増幅ＡＣ出力信号を基準とするレギュレートされた電力レールを、グラウンドを基準とする増幅器電力レールから生成するように動作可能であるＤＣ電力を調整するための手段と、
該出力段を熱保護するための手段であって、該調整するための手段に結合され、該増幅ＡＣ出力信号を基準とし、かつ該レギュレートされた電力レールによって電力供給される、手段と
を備える、熱保護回路。
【請求項１４】
前記増幅器ＤＣ電力レールは、正のＤＣ増幅器電力レールと負のＤＣ増幅器電力レールとを備え、前記調整するための手段は、調整するための第１の手段と調整するための第２の手段とを含み、該調整するための第１の手段は、該増幅ＡＣ出力信号を基準とする正のレギュレートされた電力レールを該正のＤＣ増幅器電力レールから生成するように動作可能であり、該調整するための第２の手段は、該増幅ＡＣ出力信号を基準とする負のレギュレートされた電力レールを該負のＤＣ増幅器電力レールから生成するように動作可能である、請求項１３に記載の熱保護回路。
【請求項１５】
前記調整するための手段は、キャパシタと、抵抗と、電圧レギュレータとを備える電力調整器である、請求項１３に記載の熱保護回路。
【請求項１６】
前記電力調整器は、ツェナーダイオードを備える、請求項１５に記載の熱保護回路。
【請求項１７】
前記熱保護するための手段は、シミュレートされた温度信号を生成するための手段を含み、前記出力段は出力デバイスを含み、該シミュレートされた温度信号は、該出力デバイスの温度を示す、請求項１３に記載の熱保護回路。
【請求項１８】
前記熱保護するための手段は、前記出力デバイスによって損失される電力を制限するための手段をさらに含み、該制限するための手段は、前記シミュレートされた温度信号の関数として、該出力デバイスによって損失される電力を低減するように動作可能である、請求項１７に記載の熱保護回路。
【請求項１９】
前記熱保護するための手段は、前記出力段をバイアスするための手段をさらに含み、該バイアスするための手段は、前記シミュレートされた温度信号の関数として、該出力段のためにバイアス信号を生成するように動作可能であり、該バイアス信号は、該出力段を通る、実質的に一定の静止電流を維持するために、該出力段の該バイアスを調節するように動作可能である、請求項１７に記載の熱保護回路。
【請求項２０】
前記熱保護するための手段は、前記出力段をバイアスするための手段を含み、該バイアスするための手段は、該出力段を通る、実質的に一定の静止電流を維持するために、該出力段の該バイアスを調節するように動作可能である、請求項１３に記載の熱保護回路。
【請求項２１】
前記バイアスする手段は、前記出力段のシミュレートされた温度の関数として、前記バイアスを調節するように動作可能である、請求項２０に記載の熱保護回路。
【請求項２２】
グラウンドを基準とする増幅器電力レールを生成するように動作可能である増幅器ＤＣ電源と、
該増幅器電力レールを受取り、かつ増幅ＡＣ出力信号を生成するように動作可能である、グラウンドを基準にする出力段と、
該増幅器電力レールからの該増幅ＡＣ出力信号を基準とするレギュレートされた電力レールを提供するように動作可能である電力調整器と、
該増幅ＡＣ出力信号を基準とし、かつ該出力段を熱保護するために該レギュレートされた電力レールによって電力供給される、該電力調整器に結合された保護回路と
を備える、増幅器。
【請求項２３】
前記出力段は、ハーフブリッジ増幅器として構成される、請求項２２に記載の増幅器。
【請求項２４】
前記出力段は、フルブリッジ増幅器として構成される、請求項２２に記載の増幅器。
【請求項２５】
前記電力調整器は、第１のキャパシタと、抵抗と、入力および出力を有する電圧レギュレータとを備え、該電圧レギュレータの該入力、該第１のキャパシタ、および該抵抗は、各々、前記増幅器電力レールと前記増幅ＡＣ出力信号との間に結合され、該電圧レギュレータの該出力は、該レギュレートされた電力レールと該増幅ＡＣ出力信号との間に結合される、請求項２２に記載の増幅器。
【請求項２６】
前記電力調整器は、前記増幅器電力レールと前記増幅ＡＣ出力信号との間に結合されるツェナーダイオードを備える、請求項２５に記載の熱保護回路。
【請求項２７】
前記電力調整器は第２のキャパシタをさらに備え、該第２のキャパシタは、前記レギュレートされた電力レールと前記増幅ＡＣ出力信号との間に結合された、請求項２５に記載の増幅器。
【請求項２８】
前記保護回路は温度シミュレータを含み、前記出力段は出力デバイスを含み、該温度シミュレータは、シミュレートされた温度信号を提供するように動作可能であり、該シミュレートされた温度信号は、前記出力デバイスのシミュレートされた温度を示す、請求項２２に記載の増幅器。
【請求項２９】
前記保護回路は出力リミッタをさらに含み、該出力リミッタは、前記シミュレートされた温度信号の関数として、前記出力デバイスによって損失される電力を低減するように動作可能である、請求項２８に記載の増幅器。
【請求項３０】
前記保護回路はバイアス制御をさらに含み、該バイアス制御は、静止状態の間、前記出力段を通る、実質的に一定の静止電流を維持するために、該出力段をバイアスするように動作可能である、請求項２２に記載の増幅器。
【請求項３１】
グラウンドを基準とする増幅器電力レールを生成するように動作可能であるＤＣ電源と、
該増幅器電力レールを受取り、かつ増幅ＡＣ出力信号を生成するように動作可能である、グラウンドを基準とする出力段と、
該増幅器電力レールからの該増幅ＡＣ出力信号を基準とするレギュレートされた電力レールを生成するように動作可能である電力調整器と
該増幅ＡＣ出力信号を基準とし、かつ該レギュレートされた電力レールによって電力供給される、バイアス制御とを備え、該バイアス制御は、該出力段をバイアスするように動作可能である、増幅器。
【請求項３２】
前記バイアス制御は、静止状態の間、前記出力段を通る、実質的に一定の静止電流を維持するように動作可能である、請求項３１に記載の増幅器。
【請求項３３】
前記バイアス制御は、前記出力段の温度の関数として、該出力段をバイアスするように動作可能である、請求項３１に記載の増幅器。
【請求項３４】
増幅器の出力段を熱保護する方法であって、該出力段は、ＤＣ電力を受取り、かつ増幅ＡＣ出力信号を発生させ、該方法は、
該出力段の出力デバイスにＤＣ電力を提供する工程であって、該ＤＣ電力は、グラウンドを基準とする、工程と、
該出力デバイスを入力信号で駆動して、該出力デバイスが該ＤＣ電力から増幅ＡＣ出力信号を生成する工程と、
該増幅ＡＣ出力信号を基準とするレギュレートされたＤＣ電力を提供するために該ＤＣ電力を調整する工程と、
該増幅ＡＣ出力信号を基準とする該レギュレートされたＤＣ電力で熱保護回路を電力供給する工程と、
シミュレートされた温度信号を該熱保護回路で生成する工程であって、該シミュレートされた温度信号は、該出力デバイスのシミュレートされた温度を示す、工程と、
該出力デバイスの該シミュレートされた温度が閾値温度を超過する場合、該出力デバイスへの該入力信号を該熱保護回路で低減する工程と
を包含する、方法。
【請求項３５】
シミュレートされた温度信号を生成する工程は、
前記熱保護回路を用いて電流感知信号を受取る工程であって、該電流感知信号は、前記出力段を通る電流を示す、工程と、
該熱保護回路を用いて電圧信号を受取る工程であって、該電圧信号は、該出力段を横断する電圧を示す、工程と、
該熱保護回路を用いて温度信号を受取る工程であって、該温度信号は、該出力段の温度を示す、工程とを包含し、
前記シミュレートされた温度信号は、該電流信号、該電圧信号、および温度信号に基づいて生成される、
請求項３４に記載の方法。
【請求項３６】
静止状態の間、前記出力段を通る、実質的に一定の静止電流を維持するために、前記保護回路を用いて前記出力段をバイアスする工程をさらに包含する、請求項３４に記載の方法。